(57)【要約】【課題】Ｘ線管およびＸ線検出器に対する駆動電力の供給および電気信号の送受信をおこなう電気ケーブルにまつわるトラブルを確実に解消する。【解決手段】この発明の装置に係るＸ線ＴＶ撮影装置によれば、Ｘ線管１およびＩ・Ｉ管２に対する駆動電力の供給と電気信号の送受信を、電気ケーブルを用いてダイレクトにおこなうのではなく、アーム長手方向沿いにＣ型アーム３のスライド回転範囲に対応する区間にわたってＣ型アーム３に平行に敷設された複数の電気導体製線条１４Ａ，１４Ｂと、電気導体製線条１４Ａ，１４Ｂに押しつけられて接触するようにしてアームホルダー１０に設置された電気導体製ブラシ１５Ａ，１５Ｂとの電気的接続を利用しケーブルレスでおこなうので、電気ケーブルにまつわるトラブルを確実に解消することができる。【選択図】    図１
2004223059.tif 000002
【特許請求の範囲】
【請求項１】
Ｘ線管とＸ線検出器とが略Ｃ字の円弧形状を有するＣ型アームの一端と他端に対向配置されていて、前記Ｃ型アームがＸ線管およびＸ線検出器ごとアーム長手方向へアームの曲がりに沿ってスライド回転可能にアーム支持体に支持されているＣ型アーム式Ｘ線撮影装置において、前記Ｃ型アームにはアーム長手方向沿いにＣ型アームのスライド回転範囲に対応する区間にわたって複数の電気導体製線条が平行に敷設されており、前記アーム支持体には前記電気導体製線条に押しつけられて接触するようにして電気導体製ブラシが電気導体製線条の本数に対応する数だけ設置されていて、Ｘ線管およびＸ線検出器に対する駆動電力の供給と電気信号の送受信が前記電気導体製線条および前記電気導体製ブラシを経由しておこなわれるように構成されていることを特徴とするＣ型アーム式Ｘ線撮影装置。
【請求項２】
請求項１に記載のＣ型アーム式Ｘ線撮影装置において、Ｃ型アームがアーム長手方向に沿って連続して続く内部空間を有するパイプタイプのアームであって、電気導体製線条および電気導体製ブラシがＣ型アームの内部空間に配置されているＣ型アーム式Ｘ線撮影装置。
【請求項３】
請求項２に記載のＣ型アーム式Ｘ線撮影装置において、Ｃ型アームには内部空間を外界に開くスリットがアーム長手方向に沿ってＣ型アームのスライド回転範囲に対応する区間にわたって途切れず続くように形成されており、アーム支持体には電気導体製ブラシを先側に設置した突出部がＣ型アームのスリットを通り抜けてＣ型アームの内部空間に入り込むように形成されていて、Ｃ型アームがスリットによりアーム支持体の突出部に当たらずにスライド回転するように構成されているのに加え、Ｃ型アームとアーム支持体との間にＣ型アームのスリットを塞ぐ遮蔽体がＣ型アームのスライド回転に連動してアーム長手方向に伸び縮みするようにして取り付けられていて、Ｃ型アームのスライド回転に伴うスリットの動きに追随して遮蔽体が伸び縮みすることによりスリットが常に遮蔽体で塞がれ続けるように構成されているＣ型アーム式Ｘ線撮影装置。
【請求項４】
請求項３に記載のＣ型アーム式Ｘ線撮影装置において、遮蔽体がカーテンロールであって、Ｃ型アームのスライド回転に伴うカーテンの繰り出し・巻き戻しにより遮蔽体としての伸び縮みが行われるのに加えて、前記カーテンの表面にはカーテンの繰り出し量を示す表示が施されているＣ型アーム式Ｘ線撮影装置。
【発明の詳細な説明】
【０００１】
【発明の属する技術分野】
この発明は、Ｘ線管とＸ線検出器とが略Ｃ字形状を有するＣ型アームの一端と他端に対向配置されているＣ型アーム式Ｘ線撮影装置に係り、特にＸ線管およびＸ線検出器に対する駆動電力の供給および電気信号の送受信をおこなう電気ケーブルにまつわるトラブルを確実に解消するための技術に関する。
【０００２】
【従来の技術】
従来のＣ型アーム式Ｘ線撮影装置は、Ｘ線管とＸ線検出器とがＣ型アームの一端と他端に対向配置されていて、前記Ｃ型アームがＸ線管およびＸ線検出器ごとアーム長手方向へアームの曲がりに沿ってスライド回転可能にアーム支持体に支持されており、Ｃ型アームのスライド回転に伴ってＸ線撮影方向が変化するように構成されている。そして、Ｘ線管およびＸ線検出器に対する駆動電力の供給と電気信号の送受信が、電気ケーブルを用いてダイレクトにおこなわれている（例えば、特許文献１参照）。
【０００３】
【特許文献１】
特開平７−２６５２８７号公報（第１図、第２図）
【０００４】
【発明が解決しようとする課題】
しかしながら、従来のＣ型アーム式Ｘ線撮影装置の場合、Ｘ線管およびＸ線検出器に対する駆動電力の供給と電気信号の送受信をおこなうための電気ケーブルにまつわるトラブルが起こる心配をしなければならないという問題がある。例えば、Ｃ型アームのスライド回転に追随して電気ケーブルの繰り出し・巻き戻しをおこなう機構とその取り付けスペースが必要となるのに加えて、繰り出し・巻き戻し時に電気ケーブルが捩れて電気ケーブルが断線する心配がある。
【０００５】
この発明は、上記の事情に鑑み、Ｘ線管およびＸ線検出器に対する駆動電力の供給および電気信号の送受信をおこなう電気ケーブルにまつわるトラブルを、確実に解消することができるＣ型アーム式Ｘ線撮影装置を提供することを目的とする。
【０００６】
【課題を解決するための手段】
この発明は、このような目的を達成するために、次のような構成をとる。
即ち、請求項１に記載のＣ型アーム式Ｘ線撮影装置は、Ｘ線管とＸ線検出器とが略Ｃ字の円弧形状を有するＣ型アームの一端と他端に対向配置されていて、前記Ｃ型アームがＸ線管およびＸ線検出器ごとアーム長手方向へアームの曲がりに沿ってスライド回転可能にアーム支持体に支持されているＣ型アーム式Ｘ線撮影装置において、前記Ｃ型アームにはアーム長手方向沿いにＣ型アームのスライド回転範囲に対応する区間にわたって複数の電気導体製線条が平行に敷設されており、前記アーム支持体には前記電気導体製線条に押しつけられて接触するようにして電気導体製ブラシが電気導体製線条の本数に対応する数だけ設置されていて、Ｘ線管およびＸ線検出器に対する駆動電力の供給と電気信号の送受信が前記電気導体製線条および前記電気導体製ブラシを経由しておこなわれるように構成されていることを特徴とするものである。
【０００７】
（作用・効果）請求項１に記載の発明では、Ｘ線管およびＸ線検出器に対する駆動電力の供給と電気信号の送受信が、アーム長手方向沿いにＣ型アームのスライド回転範囲に対応する区間にわたってＣ型アームに平行に敷設された複数の電気導体製線条と、電気導体製線条に押しつけられて接触するようにして電気導体製線条の本数に対応する数だけアーム支持体に設置された電気導体製ブラシとを経由しておこなわれる。Ｘ線管およびＸ線検出器ごとＣ型アームがアーム長手方向へアームの曲がりに沿ってスライド回転してゆくのに連れ、Ｃ型アームの側の電気導体製線条も移動するが、アーム支持体の側の電気導体製ブラシは電気導体製線条に押しつけられて接触するようにして設置されているので、電気導体製ブラシは常に電気導体製線条と接触し続けるのに加え、また電気導体製線条はアーム長手方向沿いにＣ型アームのスライド回転範囲に対応する区間にわたって敷設されているので、Ｃ型アームがどこまでスライド回転しようとも、電気導体製ブラシと電気導体製線条の間の接触は維持される結果、電気導体製線条と電気導体製ブラシとによる電気的接続は断たれず、Ｘ線管およびＸ線検出器に対する駆動電力の供給と電気信号の送受信は支障なくおこなわれる。
【０００８】
このように、請求項１に記載の発明によれば、Ｘ線管およびＸ線検出器に対する駆動電力の供給と電気信号の送受信を、従来のように電気ケーブルを用いてダイレクトに行うのではなく、アーム長手方向沿いにＣ型アームのスライド回転範囲に対応する区間にわたってＣ型アームに平行に敷設された複数の電気導体製線条と、電気導体製線条に押しつけられて接触するようにして電気導体製線条の本数に対応する数だけアーム支持体に設置された電気導体製ブラシとの電気的接続を利用してケーブルレスでおこなうようにしたので、電気ケーブルにまつわるトラブルを確実に解消することができる。
【０００９】
また、請求項２の発明は、請求項１に記載のＣ型アーム式Ｘ線撮影装置において、Ｃ型アームがアーム長手方向に沿って連続して続く内部空間を有するパイプタイプのアームであって、電気導体製線条および電気導体製ブラシがＣ型アームの内部空間に配置されているものである。
【００１０】
（作用・効果）請求項２に記載の発明によれば、電気導体製線条および電気導体製ブラシがＣ型アームの内部空間に配置されていて、電気導体製線条および電気導体製ブラシがＣ型アームの側周壁で覆われて直接外界に晒されないことになるので、電気導体製線条と電気導体製ブラシの電気的接続の信頼性・安全性が高められる。
【００１１】
また、請求項３の発明は、請求項２に記載のＣ型アーム式Ｘ線撮影装置において、Ｃ型アームには内部空間を外界に開くスリットがアーム長手方向に沿ってＣ型アームのスライド回転範囲に対応する区間にわたって途切れず続くように形成されており、アーム支持体には電気導体製ブラシを先側に設置した突出部がＣ型アームのスリットを通り抜けてＣ型アームの内部空間に入り込むように形成されていて、Ｃ型アームがスリットによりアーム支持体の突出部に当たらずにスライド回転するように構成されているのに加え、Ｃ型アームとアーム支持体との間にＣ型アームのスリットを塞ぐ遮蔽体がＣ型アームのスライド回転に連動してアーム長手方向に伸び縮みするようにして取り付けられていて、Ｃ型アームのスライド回転に伴うスリットの動きに追随して遮蔽体が伸び縮みすることによりスリットが常に遮蔽体で塞がれ続けるように構成されているものである。
【００１２】
（作用・効果）請求項３に記載の発明によれば、Ｃ型アームには内部空間を外界に開くスリットがアーム長手方向に沿ってＣ型アームのスライド回転範囲に対応する区間にわたって途切れず続くように形成されていると共に、アーム支持体には電気導体製ブラシを先側に設置した突出部がＣ型アームのスリットを通り抜けてＣ型アームの内部空間に入り込むように形成されているので、Ｃ型アームのスライド回転の際、Ｃ型アームはスリットによってアーム支持体の突出部に当たらずにアームの曲がりに沿って速やかにスライド回転する。
さらに、Ｃ型アームの速やかなスライド回転を許容するスリットが、Ｃ型アームのスライド回転に伴って動く際は、Ｃ型アームのスライド回転に連動してアーム長手方向に伸び縮みするようにして取り付けられたスリットを塞ぐ遮蔽体もスリットの動きに追随して伸び縮みすることによりスリットが常に遮蔽体で塞がれ続けるので、Ｃ型アームの速やかなスライド回転を許容するスリットによって、電気導体製線条と電気導体製ブラシとが、外界に晒されるのを回避することができる。
【００１３】
また、請求項４の発明は、請求項３に記載のＣ型アーム式Ｘ線撮影装置において、遮蔽体がカーテンロールであって、Ｃ型アームのスライド回転に伴うカーテンの繰り出し・巻き戻しにより遮蔽体としての伸び縮みが行われるのに加えて、前記カーテンの表面にはカーテンの繰り出し量を示す表示が施されているものである。
【００１４】
（作用・効果）請求項４に記載の発明によれば、Ｃ型アームのスライド回転に伴ってカーテンの繰り出し・巻き戻しが行われるように構成されていて、Ｃ型アームのスライド回転に伴う繰り出し量がＣ型アームのスライド回転量と対応しているので、カーテンの表面に施されたカーテンの繰り出し量を示す表示から直ちにＣ型アームのスライド回転量を知ることができる。
【００１５】
【発明の実施の形態】
続いて、この発明のＣ型アーム式Ｘ線撮影装置の実施例を、図面を参照しながら詳しく説明する。図１は実施例に係るＣ型アーム式外科用Ｘ線ＴＶ撮影装置（以下、適宜「Ｘ線ＴＶ撮影装置」と略記）の構成を示す正面図、図２は実施例装置におけるＣ型アームのスライド回転機構の構成を示す部分断面図である。
【００１６】
実施例のＸ線ＴＶ撮影装置は、図１に示すように、Ｘ線管１とＸ線検出器としてのイメージインテンシファイア（Ｉ・Ｉ管）２とが一端と他端に対向配置されているＣ型アーム３と、矢印ＲＡで示すようにＣ型アーム３をＸ線管１およびＩ・Ｉ管２ごとアーム長手方向へアームの曲がりに沿って手動でスライド回転（ピボット回転）可能に支持するアーム支持体４とが、装置制御部６などが搭載された走行可能な台車５に配備されていて、装置制御部６の側からの操作・コントロールに従ってＸ線管１から被検体にＸ線が照射されると同時に、Ｉ・Ｉ管２で被検体（図示省略）の透過Ｘ線像が検出されて、台車５の傍に別置するか或いは台車５に搭載するかたちで設けられたＴＶモニタ（図示省略）の画面にＸ線画像として表示されるように構成されている。
【００１７】
実施例装置の場合、Ｃ型アーム３を矢印ＲＡで示すようにスライド回転（ピボット回転）させると、Ｘ線管１およびＩ・Ｉ管２が、対向配置状態を維持したままＣ型アーム３の回転中心Ｗの周りを巡るように移動し、これに伴って撮影方向が変化する。また実施例装置は、台車５を動かすことによって別の撮影場所に簡単に移動させることができる。以下、実施例のＸ線ＴＶ撮影装置の構成を、具体的に説明する。
【００１８】
Ｘ線管１およびＩ・Ｉ管２が取り付けられているＣ型アーム３は、図１に示すように、全体の形が略Ｃ字の円弧形状であって、図２ないし図３に示すように、横断面形状が略正方形であり、アーム長手方向に沿って連続して続く内部空間７を有するパイプタイプのアームである。内部空間７は中仕切り壁７ａによりアーム長手方向に沿って平行に並ぶ二つの第１、第２小内部空間７Ａ，７Ｂに分割されており、第１小内部空間７Ａの方が台車５と向き合う側に位置している。
【００１９】
一方、Ｃ型アーム３を支えるアーム支持体４は、図１に示すように、矢印ＲＢで示すように上下動可能に台車５に立設された垂直支柱８と、矢印ＲＣで示すように水平移動可能に垂直支柱８の上端に載設された水平ロッド９と、水平ロッド９の先端から斜め下がりに延びる水平ロッド９に一体化されているアームホルダー１０とを具備していて、Ｃ型アーム３はアームホルダー１０に支持された構成になっている。
さらに、アーム支持体４の場合、垂直支柱８が矢印ＲＤで示すように垂直支柱８自体の軸８ａを回転軸として回転できると共に、水平ロッド９が矢印ＲＥで示すように水平ロッド９自体の軸９ａを回転軸として回転できる構成となっており、垂直支柱８が軸８ａを回転軸として回転するとＣ型アーム３が軸８ａを支点として水平の向きに首振りをおこない、水平ロッド９が軸９ａを回転軸として回転するとＣ型アーム３が軸９ａのまわりを巡るように旋回する。
【００２０】
他方、Ｃ型アーム３は、図１に示すように、同一の構成をもつ４組のスライド回転機構１１によってアームホルダー１０に矢印ＲＡで示すようにスライド回転可能に支持されている。なお、図１では２組のスライド回転機構１１だけが図示されており、図１に示されていない残り２組のスライド回転機構１１は、図２に示すように、図１に示されているスライド回転機構１１の反対側に同様に配設されている。
【００２１】
Ｃ型アーム３には第１小内部空間７Ａを外界に開くスリット３ａがアーム長手方向に沿ってＣ型アーム３のスライド回転範囲に対応する区間にわたって途切れずに続くように形成されており、スライド回転機構１１では、Ｃ型アーム３のスリット３ａから第１小内部空間７Ａに入り込むように形成されたアームホルダー１０の突出部１０Ａに、対向設置された一対のローラ１２Ａ，１２Ｂからなる送りローラ１２がアーム長手方向に沿って２組設置されている。図２に示すように、ローラ１２ＡはＣ型アーム３の内部空間７の外側に配置されていて、Ｃ型アーム３の側周壁３ｂのうちアームホルダー１０に臨む側周壁３ｂ１の表面からローラ１２Ａが当接し、またローラ１２ＡはＣ型アーム３の第１小内部空間７Ａの内側に配置されていて、Ｃ型アーム３における側周壁３ｂ１の裏面からローラ１２Ｂが当接している。さらに各ローラ１２Ａ，１２Ｂは、それぞれがアームホルダー１０に回転可能に軸支されたローラ１２Ａ，１２Ｂの略倍の直径を有する緩衝ローラ１３の側面に回転可能に軸支された形で配備されている。
【００２２】
したがって、Ｃ型アーム３の側周壁３ｂ１は各送りローラ１２のローラ１２Ａ，１２Ｂで挟持される状態で、Ｃ型アーム３は４組のスライド回転機構１１によりアームホルダー１０に支持される。Ｃ型アーム３をスライド回転させる場合は、Ｃ型アーム３を手動でアーム長手方向に移動させたい向きへ動かす。Ｃ型アーム３をアーム長手方向に動かすと、送りローラ１２が滑らかに回転してＣ型アーム３のアーム長手方向の移動を許容し、Ｃ型アーム３はアーム長手方向に沿って設けられているスリット３ａにより、アームホルダー１０の突出部１０Ａに当たることなく、速やかにスライド回転する。
なお、時としてＣ型アーム３の円弧形状が歪んでいて、Ｃ型アーム３が送りローラ１２につかえて移動できなくなることがあるが、実施例装置では、緩衝ローラ１３が回転してＣ型アーム３の歪みに応じて両ローラ１２Ａ，１２Ｂの位置を調整し、Ｃ型アーム３が送りローラ１２につかえるのを自動的に回避することができる構成となっている。
【００２３】
さらに、実施例装置においては、図１〜図３に示すように、Ｘ線管１およびＩ・Ｉ管２に対する駆動電力の供給および電気信号の送受信を行う為に、Ｃ型アーム３には、アーム長手方向沿いにＣ型アーム３のスライド回転範囲に対応する区間にわたって平行に敷設された複数の電気導体製線条１４Ａ，１４Ｂが設けられており、アームホルダー１０には、電気導体製線条１４Ａ，１４Ｂに押しつけられて接触するようにして電気導体製線条１４Ａ，１４Ｂの本数に対応する数だけ設置された電気導体製ブラシ１５Ａ，１５Ｂが設けられていて、Ｘ線管１およびＩ・Ｉ管２に対する駆動電力の供給および電気信号の送受信が、電気ケーブルを用いてダイレクトに行うのではなく、電気導体製線条１４Ａ，１４Ｂと電気導体製ブラシ１５Ａ，１５Ｂを経由してコードレスでおこなわれるように構成されている。
【００２４】
図３に示すように、Ｃ型アーム３の第１小内部空間７Ａにおける中仕切り壁７ａの表面にはアーム長手方向に沿って電気絶縁層１６が積層形成されていると共に、電気絶縁層１６の表面にアーム長手方向に沿って続く凹溝１７Ａ，１７Ｂが形成されていて、凹溝１７Ａ，１７Ｂには電気導体製線条１４Ａ，１４Ｂが嵌め込まれている。各電気導体製線条１４Ａ，１４Ｂはその表面が電気絶縁層１６の表面より先に出ないように凹溝１７Ａ，１７Ｂの内に完全に納まっているので、電気導体製線条１４Ａ，１４Ｂが短絡（ショート）する事故が起こる心配がない。これら電気導体製線条１４Ａ，１４Ｂは、高導電性金属などにより形成されており、幅広の電気導体製線条１４Ａは例えば幅１０ｍｍ程度もので駆動電力の供給を担い、幅狭の電気導体製線条１４Ｂは例えば幅数ｍｍ程度もので電気信号の送受信を担う。
【００２５】
一方，アームホルダー１０には、電気導体製ブラシ１５Ａ，１５Ｂを先側に設置した突出部１０ＢがＣ型アーム３のスリット３ａを通り抜けてＣ型アーム３の第１小内部空間７Ａに入り込むように形成されている。突出部１０Ｂの先側には絶縁ブロック１８が取り付けられていて、この絶縁ブロック１８の表面にブラシ収納穴１９Ａ，１９Ｂが電気導体製線条１４Ａ，１４Ｂと向き合う位置にそれぞれ穿設されており、各ブラシ収納穴１９Ａ，１９Ｂに電気導体製ブラシ１５Ａ，１５Ｂがスプリング等の弾撥体２０Ａ，２０Ｂが後ろ側に続くようにして一緒に納められている。その結果、電気導体製線条１４Ａ，１４Ｂと同数（対応する数）の電気導体製ブラシ１５Ａ，１５Ｂが常に弾撥体２０Ａ，２０Ｂによって電気導体製線条１４Ａ，１４Ｂに押しつけられて接触するように配置された構成となっている。
これら電気導体製ブラシ１５Ａ，１５Ｂも、電気導体製線条１４Ａ，１４Ｂに対応する寸法でもって高導電性金属などにより形成されており、大きめの電気導体製ブラシ１５Ａが駆動電力の供給を担い、小さいめの電気導体製ブラシ１５Ｂが電気信号の送受信を担う。
なお、図３では、便宜上、電気導体製線条１４Ａおよび電気導体製ブラシ１５Ａの数を２個，電気導体製線条１４Ｂと電気導体製ブラシ１５Ｂの数を３個としたが、電気導体製線条や電気導体製ブラシの数は必要に応じて調整されるものであり、通常、前者は４個〜５個で後者は何十個の数である。
【００２６】
さらに電気導体製ブラシ１５Ａ，１５Ｂには、突出部１０Ｂから絶縁ブロック１８へ通じるように形成されている内部空間２１を通して、Ｘ線管１およびＩ・Ｉ管２に対する駆動電力の供給および電気信号の送受信をおこなう装置制御部６からの電線２２Ａ，２２Ｂが接続されていて、Ｘ線管１およびＩ・Ｉ管２に対する駆動電力の供給および電気信号の送受信が、電気ケーブルを用いてダイレクトに行わず、電気導体製線条１４Ａ，１４Ｂと電気導体製ブラシ１５Ａ，１５Ｂを経由してケーブルレスでおこなわれるように構成されている。
【００２７】
Ｃ型アーム３がＸ線管１およびＩ・Ｉ管２ごとアーム長手方向へアームの曲がりに沿ってスライド回転するのに伴ってＣ型アーム３の側の電気導体製線条１４Ａ，１４Ｂも移動するが、アームホルダー１０の側の電気導体製ブラシ１５Ａ，１５Ｂは電気導体製線条１４Ａ，１４Ｂに押しつけられて接触するようにして設置されているので、電気導体製ブラシ１５Ａ，１５Ｂは常に電気導体製線条１４Ａ，１４Ｂと接触し続けるのに加え、電気導体製線条１４Ａ，１４Ｂはアーム長手方向沿いにＣ型アーム３のスライド回転範囲に対応する区間にわたって敷設されているので、Ｃ型アーム３がどこまでスライド回転しようとも、電気導体製ブラシ１５Ａ，１５Ｂと電気導体製線条１４Ａ，１４Ｂと接触し続け、電気導体製線条１４Ａ，１４Ｂと電気導体製ブラシ１５Ａ，１５Ｂの電気的接続は必ず維持される結果、Ｃ型アーム３がどのようにスライド回転した場合でも、Ｘ線管１およびＩ・Ｉ管２に対する駆動電力の供給および電気信号の送受信は正常に続けられる。
【００２８】
なお、実施例装置の場合、Ｃ型アーム３がスライド回転する際、Ｃ型アーム３はアーム長手方向に沿って設けられているスリット３ａにより、アームホルダー１０の突出部１０Ｂに当たることなく、スライド回転することができる。
また、実施例装置では、電気導体製線条１４Ａ，１４Ｂおよび電気導体製ブラシ１５Ａ，１５ＢがＣ型アーム３の側周壁３ｂで覆われて直接外界に晒されずに済むので、電気導体製線条１４Ａ，１４Ｂおよび電気導体製ブラシ１５Ａ，１５Ｂの電気的接続の信頼性・安全性が高い。
【００２９】
さらに、実施例装置においては、図１および図４に示すように、Ｃ型アーム３のＸ線管１の側とアームホルダー１０の間、および、Ｃ型アーム３のＩ・Ｉ管２の側とアームホルダー１０の間に、それぞれ、Ｃ型アーム３のスリット３ａを常に塞ぐカーテンロール（遮蔽体）２３が配設されている。Ｘ線管１の側のカーテンロール２３とＩ・Ｉ管２の側のカーテンロール２３は、事実上、同一構成であるので、以下、Ｉ・Ｉ管２の側の方のカーテンロール２３に即して説明する。
【００３０】
図４（ａ）に示すように、カーテン２３Ａが繰り出し・巻き戻し可能に巻かれているカーテンロール２３を、カーテン２３Ａの幅方向がアーム長手方向に対し直角となるようにしてアームホルダー１０の端部に設置されていると共に、Ｃ型アーム３のスリット３ａを塞ぐようにしてカーテン２３Ａの繰り出し側の先端部がＣ型アーム３のＸ線管１の直ぐ手前のところに固定されていて、Ｃ型アーム３がＸ線管１の側へスライド回転すると、図４（ｂ）に示すように、カーテン２３Ａが繰り出されて伸び、逆に、Ｃ型アーム３がＩ・Ｉ管２の側へスライド回転すると、図４（ａ）に示すように、カーテン２３Ａが巻き戻されて縮むように構成されている。したがって、実施例装置の場合、Ｃ型アーム３のスライド回転に伴うスリット３ａの動きに追随してカーテン２３Ａが伸び縮みすることによりスリット３ａが常にカーテン２３Ａで塞がれていることになるので、Ｃ型アーム３の速やかなスライド回転を許容するスリット３ａによって電気導体製線条１４Ａ，１４Ｂおよび電気導体製ブラシ１５Ａ，１５Ｂが外界に晒されるのを回避することができる。
【００３１】
加えて、実施例装置の場合、図４（ａ），（ｂ）に示すように、カーテン２３Ａの表面にはカーテン２３Ａの繰り出し量を示す目盛り（表示）が施されており、Ｃ型アーム３のスライド回転に伴うカーテン２３Ａの繰り出し量がＣ型アームのスライド回転量と対応しているので、カーテン２３Ａの表面に施された目盛りから直ちにＣ型アーム３のスライド回転量を知ることができる。
【００３２】
以上に述べたように、実施例のＸ線ＴＶ撮影装置によれば、Ｘ線管１およびＩ・Ｉ管２に対する駆動電力の供給および電気信号の送受信を、電気ケーブルを用いてダイレクトにおこなうのではなく、Ｃ型アーム３の側に設けた電気導体製線条１４Ａ，１４Ｂと、アームホルダー１０の側に設けた電気導体製ブラシ１５Ａ，１５Ｂとの電気的接続を利用しケーブルレスでおこなうので、電気ケーブルにまつわるトラブルを確実に解消することができる。
【００３３】
この発明は、上記実施の形態に限られることはなく、下記のように変形実施することができる。
（１）実施例装置では、Ｃ型アーム３が移動可能な台車５に搭載されている構成であったが、Ｃ型アーム３は据えつけ式の撮影台、あるいは、天井走行式の撮影台に取り付けられている構成の装置が、変形例として挙げられる。
【００３４】
（２）実施例装置において、カーテンロール２３の代わりにベローズ（蛇腹）を用い、Ｃ型アーム３のスライド回転に伴うスリット３ａの動きに追随してベローズが伸び縮みすることによりＣ型アーム３のスリット３ａが常にベローズで塞がれている構成の装置が、変形例として挙げられる。
【００３５】
（３）実施例装置では、電気導体製線条１４Ａ，１４Ｂと電気導体製ブラシ１５Ａ，１５ＢがＣ型アーム３の内部空間に配置されていたが、電気導体製線条１４Ａ，１４Ｂと電気導体製ブラシ１５Ａ，１５ＢがＣ型アーム３の外側に配置されているようであってもよい。
【００３６】
（４）実施例装置では、Ｃ型アーム３を手動でスライド回転させる構成であったが、Ｃ型アーム３を電動でスライド回転させるように構成してもよい。
【００３７】
（５）実施例装置では、Ｘ線検出器がＩ・Ｉ管２であったが、Ｘ線検出器として多数の半導体Ｘ線検出素子を縦横にアレイ配列したフラットパネル型Ｘ線検出器（ＦＰＤ）を用いるようにしてもよい。
【００３８】
（６）この発明のＣ型アーム式Ｘ線撮影装置は、医療分野に限らず、工業分野の装置にも適用することができる。
【００３９】
【発明の効果】
以上に詳述したように、請求項１に記載のＣ型アーム式Ｘ線撮影装置によれば、Ｘ線管およびＸ線検出器に対する駆動電力の供給と電気信号の送受信を、電気ケーブルを用いてダイレクトにおこなうのではなく、アーム長手方向沿いにＣ型アームのスライド回転範囲に対応する区間にわたってＣ型アームに平行に敷設された複数の電気導体製線条と、電気導体製線条に押しつけられて接触するようにして電気導体製線条の本数に対応する数だけアーム支持体に設置された電気導体製ブラシとの電気的接続を利用しケーブルレスでおこなうので、電気ケーブルにまつわるトラブルを確実に解消することができる。
【図面の簡単な説明】
【図１】実施例のＣ型アーム式外科用Ｘ線ＴＶ撮影装置の構成を示す正面図である。
【図２】実施例装置におけるＣ型アームのスライド回転機構の構成を示す部分断面図である。
【図３】実施例装置のＣ型アームに設けられた電気導体製線条とアームホルダーに設けられた電気導体製ブラシの構成を示す部分断面図である。
【図４】実施例装置のＣ型アームのスリットを塞ぐカーテンロールの遮蔽動作を示す説明図である。
【符号の説明】
１              …  Ｘ線管
２              …  Ｉ・Ｉ管（Ｘ線検出器）
３              …  Ｃ型アーム
３ａ            …  スリット
７              …  内部空間
７ａ            …  第１小内部空間
７Ａ            …  アームホルダー（アーム支持体）
１０Ｂ          …  アームホルダー（アーム支持体）の突出部
１４Ａ，１４Ｂ  …  電気導体製線条
１５Ａ，１５Ｂ  …  電気導体製ブラシ
２３            …  カーテンロール（遮蔽体）
２３Ａ          …  カーテン
【図１】
2004223059.tif 000003
【図２】
2004223059.tif 000004
【図３】
2004223059.tif 000005
【図４】
2004223059.tif 000006